(57)【特許請求の範囲】
【請求項１】
トイレ本体と、トイレ本体に対してシーツを固定する押さえ枠と、押さえ枠をトイレ本体に固定する固着手段と、トイレ本体の押さえ枠との対峙面に形成された嵌合突起と、押さえ枠のトイレ本体との対峙面に形成されて嵌合突起に筒状を成して嵌合する筒状嵌合部と、前記押さえ枠のほぼ全周に渡り形成され、当該押さえ枠が前記固着手段により前記トイレ本体に固定された状態で、前記トイレ本体に敷かれたシーツに接する押圧部とを備えたことを特徴とするペット用トイレ。
【請求項２】
トイレ本体と、トイレ本体に対してシーツを固定する押さえ枠と、押さえ枠をトイレ本体に固定する固着手段と、押さえ枠とトイレ本体との対峙面の何れか一方に形成された嵌合突起と、押さえ枠とトイレ本体との対峙面の何れか他方に形成されて嵌合突起に筒状を成して嵌合する筒状嵌合部と、前記押さえ枠のほぼ全周に渡り形成され、当該押さえ枠が前記固着手段により前記トイレ本体に固定された状態で、前記トイレ本体に敷かれたシーツに接する押圧部とを備え、前記筒状嵌合部のトイレ本体の平面視で外側に向かう側面にシーツ逃がし口を形成したことを特徴とするペット用トイレ。
【発明の詳細な説明】
【０００１】
【産業上の利用分野】
本発明は、犬や猫のトイレに係り、特にシーツを床面に固定して使用するペット用トイレに関する。
【０００２】
【従来の技術】
従来のペット用トイレには実公平５−６７７５号公報に記載されたものがある。このペット用トイレ１は図８および図９に示されるように構成されている。
【０００３】
トイレ本体２は前面および上面が開放した箱状に形成されており、このトイレ本体２の内側には、メッシュ構造を備えたトレイ３が設けられている。
【０００４】
さらに、トレイ３の上にはシーツ４が載置され、このシーツ４の縁をシーツ押さえ５により全周に渡って押えつけるようになっている。
【０００５】
このシーツ押さえ５は外側縁部でトレイ３の縁部に嵌合するようになっている。このようなシーツ押さえ５は内側の縁部分に設けられた押さえ凸条部６がトレイ３の床面に当接するように構成されており、押さえ凸条部６とトレイ３の床面との間にシーツ４を挟み込むことにより、シーツ４をトイレ本体２に保持するようになっている。
【０００６】
しかしながら、上述したようなペット用トイレ１は、シーツ４を押さえ込む力が弱く、シーツ４上でペットが激しく動いた場合には、シーツ４が外れてしまうことがあった。
【０００７】
【発明が解決しようとする課題】
従来のペット用トイレは、シーツを固定する力が弱く、ペットがシーツ上で激しく動いた場合には、シーツが外れてしまうことがあった。
【０００８】
本発明は、前記課題に着目してなされたものであり、ペットがシーツ上で激しく動いた場合にも、シーツが外れることを防止できるペット用トイレを提供することを目的とする。
【０００９】
【課題を解決するための手段】
請求項１の発明は、トイレ本体と、トイレ本体に対してシーツを固定する押さえ枠と、押さえ枠をトイレ本体に固定する固着手段と、トイレ本体の押さえ枠との対峙面に形成された嵌合突起と、押さえ枠のトイレ本体との対峙面に形成されて嵌合突起に筒状を成して嵌合する筒状嵌合部と、前記押さえ枠のほぼ全周に渡り形成され、当該押さえ枠が前記固着手段により前記トイレ本体に固定された状態で、前記トイレ本体に敷かれたシーツに接する押圧部とを備えたペット用トイレにある。
【００１０】
また、請求項２の発明は、トイレ本体と、トイレ本体に対してシーツを固定する押さえ枠と、押さえ枠をトイレ本体に固定する固着手段と、押さえ枠とトイレ本体との対峙面の何れか一方に形成された嵌合突起と、押さえ枠とトイレ本体との対峙面の何れか他方に形成されて嵌合突起に筒状を成して嵌合する筒状嵌合部と、前記押さえ枠のほぼ全周に渡り形成され、当該押さえ枠が前記固着手段により前記トイレ本体に固定された状態で、前記トイレ本体に敷かれたシーツに接する押圧部とを備え、前記筒状嵌合部のトイレ本体の平面視で外側に向かう側面にシーツ逃がし口を形成したペット用トイレにある。
【００１１】
【作用】
請求項１の発明によれば、押さえ枠とトイレ本体との間に、嵌合突起と、嵌合突起に嵌合する筒状嵌合部とを備えたことにより、嵌合突起と筒状嵌合部との間にシーツを挟み込んで押さえ、かつ、固着手段により押さえ枠がトイレ本体に固定された状態で、押さえ枠のほぼ全周に渡り形成されている押圧部がトイレ本体に敷かれたシーツに接するので、極めて強い押さえ込みができる。
【００１２】
請求項２の発明によれば、筒状嵌合部の外側に向かう側面にシーツ逃げ口を設けたので、シーツ押さえの不要な外側から、シーツを逃がし、シーツ逃げ口を設けない内側のみを強固に挟み込むことができるので、押さえ枠の取り付け作業が容易であり、かつ強固なシーツ固定ができる。
【００１３】
【実施例】
以下本発明における一実施例を図面を参照しながら説明する。
【００１４】
図１に示すようにペット用トイレ１０は、図５に示されるような形状を成して合成樹脂からなり、トイレ本体１２と、トイレ本体１２に嵌合する押さえ枠１３とを備えている。
【００１５】
トイレ本体１２は、長方形状の底面１４と、底面１４の周縁に立設する周壁１５とからなる上面開放状であり、底面１４の周縁部には、周縁に沿って延在する凸部１６が所定の間隔をおき複数箇所に設けられている。
【００１６】
また、凸部１６の間隔の間には、図６および図７に示されるように上方に円錐状の鋭部を備えた円柱状の嵌合突起Ｋが設けられている。この嵌合突起Ｋは、底面１４の縁側に沿って合計６箇所設けられている。
【００１７】
周壁１５の相対向する部位には、長方形状の切欠き１７が設けられており、切欠き１７を除く周壁１５の端部には、周壁１５を包囲する包囲部１８が、下方へ向かうに従って外方向に広がるように連設されている。切欠き１７が形成された周壁１５の外周面の部位には、図２にも示すように、周壁１５の端部に連設し外方向へ伸びた後下方へ折れ曲がる断面Ｌ字状のＬ字リブ１９と、Ｌ字リブ１９に突設した板状の突片２０とからなる係合部２１が形成されている。
【００１８】
一方、押さえ枠１３は、トイレ本体１２の周縁に適合した略ロ字状であり、包囲部１８に外嵌する外嵌部２２と、外嵌部２２の全内周面に連設する板状の押さえ板２３とからなる。外嵌部２２の係合部２１に対応した部位には、バックル取付部２４が形成されている。（図１参照）
バックル取付部２４には、図３にも示すように、押さえ板２３に連設し、押さえ枠１３がトイレ本体１２に取り付けられた状態で、上方へ立設する周壁１５に対向する対向部１３ａと、この対向部１３ａの端部より下方へ折り返す折り返し部２６とが形成されており、対向部１３ａと周壁１５との間には隙間Ｄが形成されている。また、折り返し部２６の端部には、外方へ伸びるフランジ２７が形成されており、フランジ２７の端部には下方へ向けて伸びる支え足２８が形成され、その端部には突片２０と重なり合い接合する重なり接合部２９が形成されている。さらに、フランジ２７には、係合部２１の突片２０と係合し、押さえ部材３をトイレ本体２に固定する固着手段としてのバックル３０が枢支されている。加えて、押さえ板２３には、押さえ枠１３がトイレ本体１２に取付けられた状態で、凸部１６を挟んで対をなす押圧部３１がほぼ全周に渡り形成されている。
【００１９】
そして、押さえ枠１３の前記嵌合突起Ｋに対応するそれぞれの部位には、筒状嵌合部Ｔが形成されている。これらの筒状嵌合部Ｔは、トイレ本体１２の中央部側に円弧形状（Ｕ字状）を成して形成されており、トイレ本体１２の外側に向かう側面には切欠きを形成することによってシーツ逃がし口Ｎが形成されている。
【００２０】
以上のように構成された嵌合突起Ｋと筒状嵌合部Ｔとにより、シーツ４が強固に締め付けられる。さらに、シーツ逃げ口Ｎによりシーツを無理なく締め付けることができ、かつ、トイレ本体１２の中央側に面する部分のシーツ４を強固に固定することができる。
【００２１】
以上の構成からなる本実施例において、寸法が底面１４より大きなシーツ４を利用してペット用トイレ１０を使用する際には、図４に示すように、先ずトイレ本体１２にシーツ４を敷き、シーツ４の縁部に、底面１４の縁部に合わせて癖を付けた後、シーツ４上に押さえ枠１３をセットする。そして、押さえ枠１３をシーツ４側に押し付けながら、バックル３０を係合部２１の突片２０に係合させる。すると、押さえ枠１３は、シーツ４を押さえた状態でトイレ本体１２に固定される。また、底面１４より大きな寸法のシーツ４の縁部は、図３にも示すように、隙間Ｄ内に収容され、トイレ本体１２よりはみ出すことはないので、ペット用トイレ１０の外観上の美観を損ねることがない。
【００２２】
また、押さえ枠１３はトイレ本体１２の周壁１５より外側にて固定されているので、トイレ本体１２と押さえ枠１３との係合をトイレ本体２の内部側より解除することはできない。さらに、トイレ本体１２内で、ペットが動き回り周壁１５に対向する押さえ枠１３の対向部１３ａに激しくぶつかり、対向部１３ａに外力Ｃが加わることがあっても、外力Ｃは折り返し部２６によって吸収される。したがって、外力Ｃが係合部２１が設けられた周壁１５、すなわち、押さえ枠１３とトイレ本体１２との係合に影響を与えない。これにより、ペットがトイレ本体１２内で動き回ることがあっても、押さえ枠１３とトイレ本体１２との係合が外れることを防止できる。
【００２３】
さらに、トイレ本体１２に敷かれたシーツ４は、底面１４の凸部１６と押さえ枠１３の押圧部３１とにより上下方向から交互に挟みこまれているので、シーツ４のズレは、より効果的に防止される。
【００２４】
なお、本実施例では、トイレ本体１２と押さえ枠１３とを別体に設け、押さえ枠１３を、バックル３０によりトイレ本体１２に固定される構造としたが、押さえ枠１３の一端側をトイレ本体１２に枢支し、他端側にバックル３０等の固定部を設け押さえ枠１３をトイレ本体１２に固定する構造であってもよい。
【００２５】
また、押さえ枠１３の押さえ板２３とバックル３０との間に、折り返し部２６を形成したが、折り返し部２６を形成しない場合であっても、シーツ４の不用意なはずれを防止できる。
【００２６】
さらに、本実施例では押さえ枠１３をバックル３０によって固定したが、押さえ枠１３に係合部２１に係合するフック、あるいは、突起部等の固定部を形成してもよい。
【００２７】
また、前記嵌合突起Ｋは円柱状であったがこの形状に限定されるものではなく上方に突出する突起であれば同等の効果を奏する。
【００２８】
そして、筒状嵌合部Ｔは、平断面形状がほぼＵ字型に形成されたもので有るがこれに限定されない。つまり、嵌合突起Ｋに対応した形状であれば、シーツ４を強固に固定することができる。
【００２９】
【発明の効果】
請求項１の発明によれば、押さえ枠とトイレ本体との間に、嵌合突起と、嵌合突起に嵌合する筒状嵌合部とを備えたことにより、嵌合突起と筒状嵌合部との間にシーツを挟み込んで押さえ、かつ、固着手段により押さえ枠がトイレ本体に固定された状態で、押さえ枠のほぼ全周に渡り形成されている押圧部がトイレ本体に敷かれたシーツに接するので、極めて強い押さえ込みができ、トイレ本体内でペットが激しく動いた場合でもシーツが不用意にはずれない信頼性の高いペット用トイレを提供できる。
【００３０】
請求項２の発明によれば、筒状嵌合部の外側に向かう側面にシーツ逃げ口を設けたので、シーツ押さえの不要な外側から、シーツを逃がし、シーツ逃げ口を設けない内側のみを強固に挟み込むことができるので、押さえ枠の取り付け作業が容易であり、かつ強固なシーツ固定ができるペット用トイレを提供できる。
【図面の簡単な説明】
【図１】本発明におけるペット用トイレの分解斜視図である。
【図２】図１のトイレ本体の構成を説明する断面図である。
【図３】図１のトイレ本体のバックル部分を示す断面図である。
【図４】図１のトイレ本体にシーツを敷く状態を示す断面図である。
【図５】図１のペット用トイレの組み立て状態を示す斜視図である。
【図６】嵌合突起と筒状嵌合部を示す斜視図である。
【図７】嵌合突起と筒状嵌合部とが嵌合した状態を示す平断面図である。
【図８】従来のペット用トイレを示す分解斜視図である。
【図９】図８のペット用トイレにシーツが固定された状態を示す正断面図である。
【符号の説明】
１０  ペット用トイレ
１２  トイレ本体
１３  押さえ枠
３０  バックル（固着手段）
Ｋ  嵌合突起
Ｔ  筒状嵌合部
Ｎ  シーツ逃がし口
【図１】
0003609855.tif 000002
【図２】
0003609855.tif 000003
【図３】
0003609855.tif 000004
【図４】
0003609855.tif 000005
【図５】
0003609855.tif 000006
【図６】
0003609855.tif 000007
【図７】
0003609855.tif 000008
【図８】
0003609855.tif 000009
【図９】
0003609855.tif 000010